(57)【要約】【解決課題】床の敷物や壁紙を接着剤により接着固定する際に使用するハンドローラーを軽量化して作業負担を軽減すること。【解決手段】グリップ（１）の先端から延設する支持用軸体（２）に合成樹脂を素材に形成する肉厚円筒形のローラー主体（３）を軸装し、回転自由に支持する一方、前記ローラー主体（３）の外周面に金属製の保護用円筒体（４）を一体に嵌装してローラー主体の表面を保護し、ローラー全体の総重量を軽量化する。【選択図】　　　　図２
2004100165.tif 000002
【特許請求の範囲】
【請求項１】
グリップの先端から延設する支持用軸体に合成樹脂を素材に形成する肉厚円筒形のローラー主体を軸装し回転自由に支持する一方、前記ローラー主体の外周面に金属製の保護用円筒体を一体に嵌装してなることを特徴としたハンドローラー。
【請求項２】
請求項１の記載において、ローラー主体には中空部の両端部に中心線を共通にする円形の拡張凹部を各形成し、それぞれの拡張凹部内に軸受ベアリング体を装着して該軸受ベアリング体を介して前記ローラー主体の中空部に通す支持用軸体を回転自由に軸装してなることを特徴としたハンドローラー。
【発明の詳細な説明】
【０００１】
【発明の属する技術分野】
本発明は、建物の床面に貼るカーペット等の敷物、或は壁面や天井面に貼る壁紙，クロス類を接着する際に押し付けのため使用するハンドローラーに関する。
【０００２】
【従来の技術】
建物の床や壁，天井を仕上げる際、装飾のため或は保護のためにカーペットやビニール製タイル等の敷物を貼ったり、壁紙やクロス材を貼り付けることが一般に行われている。
敷物や壁紙の貼り付けは通常これらの裏面に接着剤を塗布し、床や壁の下地の表面に直接添わせて貼り付けるが、この時しっかりした貼り付けを行うためハンドローラーを使って接着面を押圧している。
【０００３】
ハンドローラーの使用は転がしながら押圧することで敷物や壁紙に塗布した接着剤を均一に均し、また接着面に入り込む空気を抜き出して斑を無くし、相互を密着させて均一な接着状態を確実に且つ迅速に得るため行われるが、このハンドローラーの使用そのものは従来から広く知られ一般に行われているものである。
【０００４】
このハンドローラーについては大別して床に貼る敷物について使用するハンドローラーと、壁や天井に張る壁紙，クロス材について使用するハンドローラーの２種類があり、床用のハンドローラーには重量のある金属製ローラーが使用され、壁，天井用には軽量な合成樹脂製のローラーが使用されている。
【０００５】
このハンドローラーの使用は、例えば床用ハンドローラーの場合、床に合せて一定の形状にカットしたカーペットの裏面の周縁部、その他の適所に接着剤を塗布し、次にこのカーペットを床面に敷詰めて仮置きし位置決めしたところで前記接着剤を塗布した部分の表面側にローラーを押し当て、力を加えながら転がし、接着させている。
この接着において床面に対する押圧は、確実な接着状態を得る上で重要な要素となっており、このため従来から重量のあるスチール製のローラーが使用されている。
【０００６】
その一方、壁や天井の場合は、作業中ローラーの重量を全て腕で支えなければならないため重量のある金属製のローラーは不向きであり、従って従来から軽量な合成樹脂製のローラーを用いて押圧力は全て腕による押し付けに頼るものとしていた。
【０００７】
このローラーの使い分けは一応の合理性を有しており、永年に亘って床用としては金属製の重量のあるローラーを使用し、壁，天井用としては合成樹脂製の軽量のローラーを使用していたのである。
【０００８】
【発明が解決しようとする課題】
しかし、金属製のローラーは重量があるが故に作業負担が大きく長時間に亘る作業が困難である。
前述したように接着剤の接着には押圧力を加えることと、均すことが重要であり、この意味でローラーの重量は出来るだけ大であることが望ましいが、実際の接着作業は接着剤を塗布した表面側にローラーを押し当てると共に、このローラーを押付けながら複数回往復するように転がして作業するため、ハンドローラーを操作する腕にローラーの重量が直接負担として掛ることになる。
ことにローラー作業は片手で操作されるため、凡そ６００〜９００ｇの重量で作られる床用金属製ローラーはその作業の中で持ち上げたり、或は押し付けながら前後に複数回に亘って転がしたりする作業は、作業者にとって大きな負担となる。
【０００９】
一方、壁，天井用の合成樹脂製のハンドローラーは軽量であることから重量物操作による負担が軽減されるが、この合成樹脂製ローラーの場合、接着作業の際壁紙等の縁から漏れ出す接着剤がローラー表面に付着したとき、これを除去するのが極めて困難になる問題がある。
ことに作業中にローラーに付着した接着剤が乾燥し、固化したとき簡単に除去することができず、やむなく表面に凹凸が出来たまゝのローラーを使用せざるを得ない問題があった。
【００１０】
本発明はこの様な事情に鑑み開発されたもので、その目的とするところはハンドローラー自体の重量を軽減して重量物操作による作業負担を解消し、長時間の作業を可能にすると共に、ローラー表面に接着剤が付着し、固化したときの除去作業を容易にしてローラー周面を常時平滑な面に保持できるようにした床面に対する敷物の貼り付けを始めとする壁，天井面に対する壁紙等の貼り付けにも適するハンドローラーを提供することにある。
【００１１】
前述したようにハンドローラーにおける重量は接着剤による接着の際、押圧力として作用するため好都合であるが、実際の作業においてカーペット等肉厚な敷物を接着する場合、１ｋｇに満たない重量を負荷しても剛性等によって反発されるためこの程度の重量で安定した接着状態を得ることは殆ど無理であり、実際の作業では作業者が体重を掛けて押圧しているのが実情である。
従って、この作業の際上記ローラーの重量は前述したように押し付けの反覆作業の妨げとなる。本発明はこの様な観点から軽量化を図り、操作性の向上を図ると共に、ローラー表面への接着剤の付着に対してこれを容易に剥離除去できるようにしたハンドローラーを提供することにある。
【００１２】
【課題を解決するための手段】
上記目的を達成するため本発明はグリップの先端から延設する支持用軸体に合成樹脂を素材に形成する肉厚円筒形のローラー主体を軸装し回転自由に支持する一方、前記ローラー主体の外周面に金属製の保護用円筒体を一体に嵌装してなるハンドローラーを提供することにある。
【００１３】
前記ローラー主体は実質的に設計上定めるローラーの直径に近い外形を有する円筒体として成形され、また金属を素材とする保護用円筒体は肉薄の筒体にして上記ローラー主体の外周面を被覆し、専ら保護するものとして機能させるものであり、これによりローラーの大部分を合成樹脂製とするものである。
このことによって本発明はローラーの軽量化を図ると同時に、当該ローラー主体の表面部分を保護用円筒体による被覆によって保護し、平滑な表面とすると共に、金属の硬質性により付着する接着剤の剥離を容易にしたのである。
【００１４】
また本発明は、前記ローラー主体には中空部の両端部に中心線を共通にする円形の拡張凹部を各形成し、それぞれの拡張凹部内に軸受ベアリング体を装着して該軸受ベアリング体を介して前記ローラー主体の中空部に通す支持用軸体を回転自由に軸装してなるハンドローラーを提供することにある。
次に、本発明を図示する実施例につき詳述し、その他の特徴を併せて説明することにする。
【００１５】
【発明の実施の形態】
【実施例】
図１は本発明に係るハンドローラーの斜視図であり、図２は要部を断面とした部分の拡大平面図である。図面の符号１はグリップであり、２はこのグリップ１の先端から延設した支持用の軸体、３は軸体２の先端部に回転自由に軸装したローラー主体であり、４はこのローラー主体の外周面に嵌装し被覆する保護用円筒体である。
【００１６】
支持用軸体２は金属の棒材をコ字形に屈曲させて形成してあり、グリップ１の長さ方向に対して直交する方向に折り曲げた先端部分２ａに前記ローラー主体３を軸装するようにしてある。
【００１７】
ローラー主体３は合成樹脂素材、例えばウレタン樹脂，エチレン樹脂，塩化ビニル樹脂などを材料にて中心部を中空にした肉厚の円筒体に形成してあり、中心の中空部５に前記軸体の先端部分２ａを挿通するようにしてある。
尚、ここでは上記中空部５の両端部に中心線を共通にする円形の拡張凹部６，６を略対称状に形成してこの内部に軸受用のベアリング体７，７を装着し、前記先端部分２ａを軸受して円滑な回転が得られるようにしてある。
図中の符号８は差し込み側の軸体２に固着した抜止めのフランジであり、９は軸体の先端部にワッシャ１０を介してねじ付けた抜止めのナットである。
【００１８】
一方、保護用円筒体４は前記ローラー主体３の全周を取巻くように嵌装されるもので、金属の筒体からなっている。
この円筒体４は合成樹脂を素材としたローラー主体３の周面を保護すると共に、平滑な周面を得るための保護部材であり、ここでは肉薄の円筒体としてステンレスを材料に形成してある。
【００１９】
上記保護用円筒体４の肉厚は表面の平滑性と円筒形を維持できる厚みをもつものであれば充分であり、軽量化の上から肉薄であることが望まれる。この場合、肉薄になることに伴って発生する形状の歪みについてはローラー主体３によって裏打ちされ、実質的に中実な円柱体となることから通常の使用において変形するようなことはなく、仮に発生したとしても無視することができる程度の歪みである。
尚、保護用円筒体の形成においては両端の隅部４ａを面取りして丸味をもたせ、使用中にこの隅部で壁紙等を損傷しないようにするとよい。
【００２０】
本発明のハンドローラーは上述の如く構成されるもので、カーペット等の貼り付け，壁紙等の貼り付けに使用する場合は、接着剤を塗布したカーペット、或は壁紙を床面乃至壁面に添わせたのち、接着剤を塗布した表面側にローラーを押し当ててグリップを操作して転がし、接着剤を伸展させるようにして閉じ込められる空気を押し出しながら接着作業に使用されるものとなり、この点、従来のハンドローラーと同様に使用されることになる。
【００２１】
【発明の効果】
以上の説明から明らかなように本発明によれば、ローラー主体を合成樹脂素材によって形成し、この主体の外周面を金属製の保護用円筒体で被覆する構造としたことから、ハンドローラー全体が軽量となり、取り扱い易いものとなると同時に、上記保護用円筒体によって合成樹脂製のローラー主体の表面を金属製ローラーと同一の硬度と平滑性をもったハンドローラーとしたことから常に均一な押圧が可能であり、また接着剤が付着した際は擦り取るようにして簡単に除去することができるため、合成樹脂製のローラーにおいて問題となったこびり付きを完全に払拭できる利点がある。
【００２２】
そして、本発明ハンドローラーは軽量となったことによって持ち運びが容易であると共に、床面の使用に併せて壁や天井面にも使用が可能であり、従来貼り付けの場所によって使い分けていた複数のハンドローラーを１種類でまかなうことができる。
また同時に、本発明はローラーの軽量化が実現したことから表面を金属製にしながら従来の金属製ローラーより広幅の汎用性の高いハンドローラーを得ることができる。
【図面の簡単な説明】
【図１】本発明に係るハンドローラーの斜視図。
【図２】要部を断面とした部分の拡大平面図。
【符号の説明】
１　　　　　　　グリップ
２　　　　　　　支持用軸体
３　　　　　　　ローラー主体
４　　　　　　　保護用円筒体
５　　　　　　　ローラー主体の中空部
６　　　　　　　拡張凹部
７　　　　　　　軸受ベアリング体
【図１】
2004100165.tif 000003
【図２】
2004100165.tif 000004